【手続補正書】
【提出日】平成21年3月13日(2009.3.13)
【手続補正１】
【補正対象書類名】特許請求の範囲
【補正対象項目名】全文
【補正方法】変更
【補正の内容】
【特許請求の範囲】
【請求項１】
印刷装置を制御するデバイスドライバを、プロパティの設定によりカスタマイズする情報処理装置であって、
複数のデバイスドライバを特定する特定手段と、
前記特定手段が特定した複数のデバイスドライバに対してカスタマイズ操作がなされた後に入力されるカスタマイズ完了指示に応じて、デバイスドライバに対するプロパティ情報を、前記特定手段が特定した複数のデバイスドライバに対して設定する設定手段と
を備えることを特徴とする情報処理装置。
【請求項２】
前記設定手段は、前記複数のデバイスドライバに対するプロパティ情報が設定されているか判定し、当該プロパティ情報が設定されている場合に、当該プロパティ情報を情報ファイルに書き込むことを特徴とする請求項１に記載の情報処理装置。
【請求項３】
前記設定されたプロパティ情報に対応するデータに基づいて、カスタマイズしたユーザインタフェースを表示手段に表示させる表示制御手段を更に備えることを特徴とする請求項１に記載の情報処理装置。
【請求項４】
前記表示制御手段は、前記設定手段により設定されたプロパティ情報に基づいて、前記ユーザインタフェースにおける項目の有効表示、無効表示または非表示を制御することを特徴とする請求項３に記載の情報処理装置。
【請求項５】
前記表示制御手段は、前記デバイスドライバの起動時において、前記デバイスドライバの情報ファイルを参照して得られるプロパティ情報に基づいて前記ユーザインタフェースを表示させることを特徴とする請求項４に記載の情報処理装置。
【請求項６】
前記複数のデバイスドライバは、複数の機種にそれぞれ対応するものであって、かつ、同じデバイスドライバセットに含まれるものであり、前記複数のデバイスドライバが読み出し可能な前記情報ファイルに前記設定手段はプロパティ情報を書き込むことを特徴とする請求項２に記載の情報処理装置。
【請求項７】
前記特定手段は、情報処理装置のメモリに記憶されたデータからデバイスドライバのリスト又は機種を読み込んで、前記設定手段がプロパティ情報を設定するためのデバイスドライバを特定することを特徴とする請求項１に記載の情報処理装置。
【請求項８】
前記特定手段は、外部からの選択指示により、前記設定手段がプロパティ情報を設定するためのデバイスドライバを特定することを特徴とする請求項１に記載の情報処理装置。
【請求項９】
印刷装置を制御するデバイスドライバを、プロパティの設定によりカスタマイズする情報処理装置の制御方法であって、
複数のデバイスドライバを特定する特定工程と、
前記特定工程が特定した複数のデバイスドライバに対してカスタマイズ操作がなされた後に入力されるカスタマイズ完了指示に応じて、デバイスドライバに対するプロパティ情報を、前記特定工程が特定した複数のデバイスドライバに設定する設定工程と
を有することを特徴とする制御方法。
【請求項１０】
前記設定工程は、前記複数のデバイスドライバに対するプロパティ情報が設定されているか判定し、当該プロパティ情報が設定されている場合に、当該プロパティ情報を情報ファイルに書き込むことを特徴とする請求項９に記載の制御方法。
【請求項１１】
前記設定されたプロパティ情報に対応するデータに基づいて、カスタマイズしたユーザインタフェースを表示手段に表示させる表示制御工程を更に備えることを特徴とする請求項９に記載の制御方法。
【請求項１２】
前記表示制御工程は、前記設定工程により設定されたプロパティ情報に基づいて、前記ユーザインタフェースにおける項目の有効表示、無効表示または非表示を制御することを特徴とする請求項１１に記載の制御方法。
【請求項１３】
前記表示制御工程は、前記デバイスドライバの起動時において、前記デバイスドライバの情報ファイルを参照して得られるプロパティ情報に基づいて前記ユーザインタフェースを表示させることを特徴とする請求項１２に記載の制御方法。
【請求項１４】
前記複数のデバイスドライバは、複数の機種にそれぞれ対応するものであって、かつ、同じデバイスドライバセットに含まれるものであり、前記複数のデバイスドライバが読み出し可能な前記情報ファイルに前記設定工程はプロパティ情報を書き込むことを特徴とする請求項１０に記載の制御方法。
【請求項１５】
前記特定工程は、情報処理装置のメモリに記憶されたデータからデバイスドライバのリスト又は機種を読み込んで、前記設定工程がプロパティ情報を設定するためのデバイスドライバを特定することを特徴とする請求項９に記載の制御方法。
【請求項１６】
前記特定工程は、外部からの選択指示により、前記設定工程がプロパティ情報を設定するためのデバイスドライバを特定することを特徴とする請求項９に記載の制御方法。
【請求項１７】
印刷装置を制御するデバイスドライバを、プロパティの設定によりカスタマイズする情報処理装置の制御方法をコンピュータに実行させる制御プログラムを格納したコンピュータ読み取り可能な記憶媒体であって、前記制御方法が、
複数のデバイスドライバを特定する特定工程と、
前記特定工程が特定した複数のデバイスドライバに対してカスタマイズ操作がなされた後に入力されるカスタマイズ完了指示に応じて、デバイスドライバに対するプロパティ情報を、前記特定工程が特定した複数のデバイスドライバに設定する設定工程と
を有することを特徴とする記憶媒体。
【請求項１８】
複数のデバイスドライバをインストールするためのドライバ情報を含むインストールセットを生成する情報処理装置であって、
カスタマイズすべき複数のデバイスドライバを特定する特定手段と、
前記特定手段が特定した複数のデバイスドライバに対する印刷設定をカスタマイズすることによりプロパティ情報を設定する設定手段と、
前記設定手段により設定されたプロパティ情報を有する複数のデバイスドライバを含むインストールセットを形成する形成手段と
を備えることを特徴とする情報処理装置。
【請求項１９】
カスタマイズプログラムに予め読み込ませたドライバ情報を用いて前記特定手段は複数のデバイスドライバを特定することを特徴とする請求項１８に記載の情報処理装置。
【請求項２０】
前記ドライバ情報は、前記設定手段により設定されたプロパティ情報を有する複数のデバイスドライバをインストールする際に用いられる情報であることを特徴とする請求項１８に記載の情報処理装置。
【請求項２１】
複数のデバイスドライバをインストールするためのドライバ情報を含むインストールセットを生成する情報処理方法であって、
カスタマイズすべき複数のデバイスドライバを特定する特定工程と、
前記特定工程が特定した複数のデバイスドライバに対する印刷設定をカスタマイズすることによりプロパティ情報を設定する設定工程と、
前記設定工程により設定されたプロパティ情報を有する複数のデバイスドライバを含むインストールセットを形成する形成工程と
を有することを特徴とする情報処理方法。
【請求項２２】
カスタマイズプログラムに予め読み込ませたドライバ情報を用いて前記特定工程は複数のデバイスドライバを特定することを特徴とする請求項２１に記載の情報処理方法。
【請求項２３】
前記ドライバ情報は、前記設定工程により設定されたプロパティ情報を有する複数のデバイスドライバをインストールする際に用いられる情報であることを特徴とする請求項２１に記載の情報処理方法。
【請求項２４】
複数のデバイスドライバをインストールするためのドライバ情報を含むインストールセットを生成する情報処理方法をコンピュータに実行させるプログラムであって、前記情報処理方法が、
カスタマイズすべき複数のデバイスドライバを特定する特定工程と、
前記特定工程が特定した複数のデバイスドライバに対する印刷設定をカスタマイズすることによりプロパティ情報を設定する設定工程と、
前記設定工程により設定されたプロパティ情報を有する複数のデバイスドライバを含むインストールセットを形成する形成工程と
を有することを特徴とするプログラム。